(57)【要約】【課題】巻き回わされたケーブルを全て引出さなければ使用できないようにしたコードリールを提供する。【解決手段】ケーブル７を巻胴２に巻き回わした状態ではスイッチ８は、押しボタン９が巻き回わされたケーブル７によって押し下げられているのでオフになり、電源プラグからコンセントへの電源供給が遮断されて、コンセントに電気器具の電源プラグを差し込んでも、その電気器具を使用することができない。巻胴２からケーブル７を全部引出すと、押しボタン９はケーブル７により押え付けられなくなるので、スイッチ８がオンし、コンセントに電源が供給され、差し込まれた電源プラグから電気器具に電源が供給されて、その電気器具の使用が可能になる。【選択図】図４
0003122010.tif 000002
【実用新案登録請求の範囲】
【請求項１】
一端に電源プラグが取付けられ、他端にコンセントが取付けられたケーブルと、
前記ケーブルを巻き回すための巻胴と、
前記巻胴を間に挟むように、その両側端に取付けられ、一方に前記コンセントが外方を向くように取付けられる１対の側板と、
押圧部が前記巻胴の周面から突出するように取付けられ、前記巻胴に前記ケーブルが巻き回わされているときに、前記押圧部が前記ケーブルで押されることにより、前記電源プラグと前記コンセントとの間の電気的接続を遮断するためのスイッチとを備えた、コードリール。
【請求項２】
前記スイッチは、前記押圧部として押しボタンを有し、前記巻胴内に取付けられた押しボタンスイッチであり、
前記押しボタンの操作面が前記巻胴の周面から突出している、請求項１に記載のコードリール。
【請求項３】
前記押圧部は、前記押しボタンの操作面より広い面積を有し、前記押しボタンの操作面に当接するように設けられる作動片を含む、請求項２に記載のコードリール。
【請求項４】
前記巻胴の周面には、前記スイッチの押しボタンが突出するための孔が形成されており、
前記押しボタンの操作面が前記巻胴の孔から突出するように前記スイッチを前記巻胴に固定するための金具を含む、請求項２または３に記載のコードリール。
【考案の詳細な説明】
【技術分野】
【０００１】
この考案はコードリールに関し、巻き回したケーブルを引出して使用するコードリールに関する。
【背景技術】
【０００２】
図７は、特開２００１−１３０８３８号公報（特許文献１）の従来例に記載されているコードリールを示す斜視図である。コードリール１０１には、巻胴の両側に側板１０２、１１２が設けられており、巻胴にはケーブル１０３が巻き回されている。巻き回されたケーブル１０３の一端には、電源用プラグ１０４が接続され、電源コンセント１０５に差し込まれる。ケーブル１０３の他端は巻胴の内部に設けられている中継線を介して側板１０２に設けられた、電気器具に給電するための側板コンセント１０６に接続されている。
【０００３】
コードリール１０１の支持脚１０７にはシャフト（図示せず）が取付けられている。巻胴はこのシャフトのまわりを回動自在に支持されるように、その中心軸部をシャフトに貫通されている。側板コンセント１０６が設けられている一方の側板１０２に設けられた回転操作ハンドル１０８は、巻胴を回動させて、ケーブル１０３を引出したり、また巻き回したりするのに使用される。巻胴の中心軸部を貫通したシャフトの先端には、巻胴がシャフトから外れないように、止め具１０９が取付けられている。
【０００４】
コードリール１０１を使用するとき、電源用プラグ１０４を電源コンセント１０５に差し込んで、巻胴を回転させながらケーブル１０３を引出して、電気器具を使用する場所までコードリール１０１を移動する。その場所にコードリール１０１を置いて、使用する電気器具のプラグ１１０を側板１０２に設けた側板コンセント１０６に差し込んで、電気工具や照明灯などの電気器具を使用する。
【特許文献１】特開２００１−１３０８３８号公報（段落番号０００２，０００３、図５）
【考案の開示】
【考案が解決しようとする課題】
【０００５】
図７に示したコードリール１０１は、ケーブル１０３を巻胴に巻き回したまま定格電流を超えて使用すると、各隣接するケーブル間で生じるジュール熱の作用により、ケーブル１０３が発熱し、やがてケーブル１０３が焼けてしまい、電気火災に至る。このため、コードリール１０１には、ケーブル１０３を巻胴に巻き回した状態で使用可能な定格電流が明記されている。
【０００６】
例えば、定格電流が４Ａと表示されている場合は、ケーブル１０３を巻胴から引出した状態では１５Ａ（１５００Ｗ）まで使用できるが、ケーブル１０３を巻胴に巻き回したときには４Ａ（４００Ｗ）までしか使用できない。しかし、ユーザによっては、定格電流を無視し、ケーブル１０３を巻き回した状態で、定格電流を超えて使用し、ケーブル１０３を焼損することがある。温度センサを設けて、例えば８０℃のように所定の温度になると、ランプを点灯させるものもあるが、ランプの点灯に気づかない場合もある。
【０００７】
そこで、この考案は、巻き回されたケーブルを全て引出さなければ使用できないようにしたコードリールを提供することである。
【課題を解決するための手段】
【０００８】
この考案は、コードリールであって、一端に電源プラグが取付けられ、他端にコンセントが取付けられたケーブルと、ケーブルを巻き回すための巻胴と、巻胴を間に挟むように、その両側端に取付けられ、一方にコンセントが外方を向くように取付けられる１対の側板と、押圧部が巻胴の周面から突出するように取付けられ、巻胴にケーブルが巻き回わされているときに、押圧部がケーブルで押されることにより、電源プラグとコンセントとの間の電気的接続を遮断するためのスイッチとを備える。
【０００９】
ケーブルを巻胴に巻き回しているときには、電源プラグからコンセントへの電源供給が遮断されるので、ケーブルを巻胴に巻き回した状態で使用することができなくなる。
【００１０】
好ましくは、スイッチは、押圧部として押しボタンを有し、巻胴内に取付けられた押しボタンスイッチであり、押しボタンの操作面が巻胴の周面から突出している。
【００１１】
さらに、より好ましくは、押圧部は、押しボタンの操作面より広い面積を有し、押しボタンの操作面に当接するように設けられる作動片を含む。作動片を設けることで、複数のケーブルにより作動片を押すことができるので、ケーブルを巻胴に巻き回しているときに確実にスイッチを作動できる。
【００１２】
具体的には、巻胴の周面には、スイッチの押しボタンが突出するための孔が形成されており、押しボタンの操作面が巻胴の孔から突出するようにスイッチを巻胴に固定するための金具を含む。
【考案の効果】
【００１３】
この考案は、ケーブルを巻胴に巻き回しているときには、電源プラグからコンセントへの電源供給を遮断するようにしたので、巻き回されたケーブルを全て引出さなければ使用できなくすることができる。
【考案を実施するための最良の形態】
【００１４】
図１はこの考案の一実施形態のコードリールを示す正面図であり、図２はこの考案の一実施形態のコードリールを示す側面図である。なお、説明の便宜上、図２において、ケーブルの図示を省略している。
【００１５】
図１および図２に示すように、コードリール１は、巻胴２と、１対の側板３ａ，３ｂと、コンセントパネル４と、支持脚５と、主軸６とを備える。
【００１６】
１対の側板３ａ，３ｂは、略平行に配置された１対の円板状の部材により構成され、巻胴２の両端側に配置される。巻胴２はケーブル７を巻き回わすために円筒状に形成されており、巻胴２内にスイッチ８が取付けられている。スイッチ８は、ケーブル７を巻き回わすと、ケーブル７で押されてオフになり、ケーブル７を巻胴２から全部引出すと押されるのが解除されてオンする押しボタンスイッチであり、先端に押圧部としての押しボタン９が取付けられている。押しボタン９の先端は、巻胴２の周面に形成された孔から突出するように取付けられている。
【００１７】
一方の側板３ａには、円板状に形成されたコンセントパネル４が取付けられている。また、側板３ａには、コンセントパネル４とともに１対の側板３ａ，３ｂと巻胴２とを回転操作するためのハンドル１６が取付けられている。
【００１８】
コンセント板４の正面（前面）には、コンセント１０ａ，１０ｂ，１０ｃ，１０ｄと、ブレーカ１１と、パイロットランプ１２とがそれぞれ取付けられている。主軸６は巻胴２を貫通して１対の側板３ａ，３ｂを連結するように支持脚５から延在している。主軸６の一方の先端部は、好ましくは、図１に示すように、一方の側板３ａの近傍において、側板３ａの外表面上で固定部材１４によって固定されている。
【００１９】
図３は、コードリール１の結線図である。図３において、ケーブル７の一端には、電源プラグ１３が接続されており、他端はブレーカ１０に接続されている。ブレーカ１０から引出されたケーブルの一方は、スイッチ８を介してパイロットランプ１２の一方の端子と、コンセント１０ａ，１０ｂ，１０ｃ，１０ｄの一方の端子に接続されている。ブレーカ１０から引出されたケーブルの他方は、パイロットランプ１２の他方の端子と、コンセント１０ａ，１０ｂ，１０ｃ，１０ｄの他方の端子とに接続されている。電源プラグ１３を図示しないコンセントに差込み、ブレーカ１０をオンにし、スイッチ８がオンしていれば、パイロットランプ１２が点灯し、コンセント１０ａ，１０ｂ，１０ｃ，１０ｄに電源が供給され、スイッチ８がオフにされると、パイロットランプ１２が消灯し、コンセント１０ａ，１０ｂ，１０ｃ，１０ｄへの電源供給が遮断される。
【００２０】
図４はケーブル７を巻胴２に巻き回わした状態を示し、図５は巻胴２からケーブル７を全部引出した状態を示す図である。なお、図４および図５において支持脚の図示を省略している。
【００２１】
図４に示すように、ケーブル７を巻胴２に巻き回わした状態ではスイッチ８は、押しボタン９が巻き回わされたケーブル７によって押し下げられているのでオフになり、図１に示した電源プラグ１３からコンセント１０ａ，１０ｂ，１０ｃ，１０ｄへの電源供給が遮断されている。したがって、コンセント１０ａ，１０ｂ，１０ｃ，１０ｄのいずれかに電気器具の電源プラグを差し込んでも、電源が供給されないので、その電気器具を使用することができない。
【００２２】
図５に示すように、巻胴２からケーブル７を全部引出すと、押しボタン９はケーブル７により押え付けられなくなるので、スイッチ８がオンし、コンセント１０ａ，１０ｂ，１０ｃ，１０ｄに電源が供給され、コンセント１０ａ，１０ｂ，１０ｃ，１０ｄのいずれかに差し込まれた電源プラグから電気器具に電源が供給されて、その電気器具の使用が可能になる。したがって、巻胴２にケーブル７を巻き回わした状態で電気器具を使用することができないので、従来のようにケーブル７を巻き回わした状態で定格電流を超えて使用することによるケーブル７の焼損を生じるのを防止できる。
【００２３】
図６は押しボタン９に作動片を設けた例を示す要部断面図である。図２、図４、図５に示した例では、ケーブル７を巻胴２に巻き回わしたときに、押しボタン９がケーブル間に位置し、しかも巻取り力が弱ければ、押しボタン９を押す力が弱くスイッチ８をオフにできなることが考えられる。
【００２４】
そこで、図６に示した例は、巻胴２の周面から突出するように設けた押しボタン９の表面に、押しボタン９の表面より広い面積を有する作動片１５を設けたものである。巻胴２には押しボタン９を突出させるための孔１８が形成されており、押しボタンスイッチ８は、Ｕ字状金具１７により巻胴２にねじ止めされる。作動片１５は、巻胴２の軸方向に伸びるように形成された板状部材であって、ケーブル７を巻胴２に巻き回わすときに、ケーブル７によって作動片１５が押し付けられ、押しボタン９を押し下げる。作動片１５の側板３ａ、３ｂ側の端部は、巻胴２側に接近するように曲げられて形成されており、周方向も端部が巻胴２側に接近するように曲げられて形成されている。作動片１５は金属板あるいは樹脂で形成することができる。
【００２５】
これにより、ケーブル７が作動片１５の下に潜り込むおそれがない。なお、作動片１５の端部と巻胴２との間隔は、スイッチ８の押下げストロークよりわずかに大きくなるように選ばれている。これにより、作動片１５がケーブル７により押されたとき、確実に押しボタン９を介してスイッチ８をオフにできる。また、作動片１５の表面積を大きくしているので、複数本のケーブルで作動片１５を押すことができるので、ケーブル７を巻胴２に巻き回したときに、確実にスイッチ８をオフにすることができる。
【００２６】
以上、図面を参照してこの考案の実施形態を説明したが、この考案は、図示した実施形態のものに限定されない。図示された実施形態に対して、この考案と同一の範囲内において、あるいは均等の範囲内において、種々の修正や変形を加えることが可能である。
【産業上の利用可能性】
【００２７】
この考案は、電気器具の電源ケーブルを延長して使用するコードリールに利用できる。
【図面の簡単な説明】
【００２８】
【図１】この考案の一実施形態のコードリールを示す正面図である。
【図２】この考案の一実施形態のコードリールを示す側面図である。
【図３】コードリールの結線図である。
【図４】ケーブルを巻胴に巻き回わした状態を示す図である。
【図５】巻胴からケーブル全部を引出した状態を示す図である。
【図６】押しボタンに作動片を設けた例を示す要部断面図である。
【図７】従来のコードリールを示す斜視図である。
【符号の説明】
【００２９】
１  コードリール、２巻胴、３ａ，３ｂ  側板、４  コンセント板、５  支持脚、６  主軸、７  ケーブル、８  スイッチ、９  押しボタン、１０ａ，１０ｂ，１０ｃ，１０ｄ  コンセント、１１  ブレーカ、１２  パイロットランプ、１３  電源プラグ、１４  固定部材、１５  作動片、１６  ハンドル、１７  Ｕ字状金具、１８  孔。
【図１】
0003122010.tif 000003
【図２】
0003122010.tif 000004
【図３】
0003122010.tif 000005
【図４】
0003122010.tif 000006
【図５】
0003122010.tif 000007
【図６】
0003122010.tif 000008
【図７】
0003122010.tif 000009